(57)【要約】【課題】  認証を受けていない外部記録媒体に対して一定の制限下で使用を認めることが可能な「電子装置および電子装置におけるデータ管理方法」を提供する。【解決手段】  本発明に係る、着脱可能なハードディスク１０を備えたパーソナルコンピュータ（ＰＣ）は、ハードディスク１０が装着されたとき、ハードディスクが当該ＰＣによって認証されたものであるか否かを判別する認証判別手段と、ハードディスクが当該ＰＣによって認証されたものでないと判別されたとき、ハードディスクの使用を制限する使用制限手段とを有し、使用制限手段は、ハードディスクに記録されたデータの閲覧とＰＣからハードディスクへのデータの移動を許可する。【選択図】      図３
2005259303.tif 000002
【特許請求の範囲】
【請求項１】
着脱可能な外部記録媒体を備えた電子装置であって、
着脱可能な外部記録媒体が装着されたとき、外部記録媒体が当該電子装置によって認証されたものであるか否かを判別する認証判別手段と、
外部記録媒体が認証されたものでないと判別されたとき、外部記録媒体の使用を制限する使用制限手段とを有し、
使用制限手段は、外部記録媒体に記録されたデータの閲覧と電子装置から外部記録媒体へのデータの移動を許可する、電子装置。
【請求項２】
使用制限手段は、外部記録媒体のデータの削除を許可する、請求項１に記載の電子装置。
【請求項３】
外部記録媒体に複数の音楽ファイルについてのプレイリストが記録されているとき、使用制限手段は、プレイリストの編集を許可する、請求項１に記載の電子装置。
【請求項４】
使用制限手段は、電子装置から外部記録媒体へのデータの移動および外部記録媒体と電子装置間のデータのコピーを禁止する、請求項１ないし３いずれか１つに記載の電子装置。
【請求項５】
着脱可能な外部記録媒体を備えた電子装置におけるデータ管理方法であって、
外部記録媒体が接続されたときに、外部記録媒体が当該電子装置によって認証されたものであるか否かを判別し、
外部記録媒体が認証されたものでないとき、外部記録媒体のデータの閲覧、削除、および電子装置から外部記録媒体へのデータの移動を許可し、データのコピーを禁止する、データ管理方法。
【請求項６】
外部記録媒体が認証されたものでないとき、外部記録媒体に記録された音楽ファイルについてのプレイリストの編集を許可する、請求項５に記載のデータ管理方法。
【発明の詳細な説明】
【技術分野】
【０００１】
本発明は、着脱可能な外部記録媒体を備えた電子装置に関し、特に、外部記録媒体を使用するに際し認証を必要とする電子装置に関する。
【背景技術】
【０００２】
ハードディスクの大容量化および低コスト化に伴い、パーソナルコンピュータを初めとするテレビやオーディオ・ビデオ（ＡＶ）機器においてハードディスクが利用されている。ハードディスク搭載のＡＶ機器の特徴として、多くの音楽や映像データ等を記憶させることができ、かつ、記憶されたデータを編集することができる。
【０００３】
オーディオシステムにおいて、着脱可能なポータブルハードディスクが利用されている。ポータブルハードディスクをオーディオシステムから取り外し、パーソナルコンピュータ等の他の電子装置に接続し、そこから音楽ファイルや映像ファイルを取り込み、取り込んだ音楽ファイル等をオーディオシステムにおいて再生可能としている。
【０００４】
しかしながら、何ら制限なく音楽ファイル等のコピーを認めることは、著作権保護の観点から望ましくない。このため、違法なコピーを制限できるように、種々の対策が講じられている。例えば、特許文献１に開示されるように、データ再生側において、オーディオデータとともに、そのデータがコピーを禁止されているデータであるか否かを表す信号を出力し、データ記録側において、コピーが許可されている場合にのみ記録を行う方法がある。また、オーディオデータを暗号化して記録しておき、暗号化されたデータを復号するのみ用いるキーをライセンスされたプレーヤに与える方法がある。さらに、データを記録媒体に記録する際にディジタル署名および公開鍵証明書を記録することで、コンテンツを記録した記録装置を特定できるようにし、不正に記録された記録媒体が流通した場合に、その記録を行った記録装置をシステムから排除することを可能にする方法が開示されている。
【０００５】
【特許文献１】特開２００２−２３６６２２号
【発明の開示】
【発明が解決しようとする課題】
【０００６】
図６は、従来のポータブルハードディスクの認証方式を説明する図である。オーディオシステムは、オーディオ機能の中枢を担うコントロールユニット（Ｃ／Ｕ）１００と、コントロールユニット１００に着脱可能なハードディスク１１０とを備えている。パーソナルコンピュータ１２０には、ハードディスク１１０を認証するためのソフトウエアが搭載されている。コントロールユニット１００から取り外されたハードディスク１１０をパーソナルコンピュータ１２０に接続すると、パーソナルコンピュータ１２０においてハードディスク１１０の認証が行われる。認証が行われると、ハードディスク１１０に対して音楽ファイルや映像ファイルのコピー等の編集を行うことが許可される。
【０００７】
著作権保護の観点から、パーソナルコンピュータ１２０によって認証できるハードディスクは１台であることが望ましい。このため、パーソナルコンピュータ１２０によって一度認証を受けたハードディスク１１０を、他のパーソナルコンピュータ１３０に接続しても、使用をすることはできない。仮に、他のパーソナルコンピュータ１３０において使用するためには、ハードディスクの再認証が必要となり、再認証を行うとハードディスク１１０の内容はすべて消去されてしまう。
【０００８】
図７に示すように、認証が行われていないハードディスク（図では「非認証」と表示）に対しては、ＰＣとハードディスク（ＨＤ）間において、データのコピー、移動は禁止されることは勿論、ハードディスクに記録された内容の閲覧や音楽ファイルについてのプレイリストの編集等も禁止されていた（図では、「×」で表示）。このため、例えばユーザがパーソナルコンピュータを買い換えたり、あるいは、複数のパーソナルコンピュータを所持する場合であっても、ハードディスクの内容すら知ることができず、ユーザにとって非常に不便、不都合な認証方式であった。
【０００９】
本発明は、上記した従来の認証方式の課題を解決し、認証を受けていない外部記録媒体に対して一定の制限下で使用を認めることが可能な電子装置および電子装置におけるデータ管理方法を提供することを目的とする。
【課題を解決するための手段】
【００１０】
本発明に係る、着脱可能な外部記録媒体を備えた電子装置は、着脱可能な外部記録媒体が装着されたとき、外部記録媒体が当該電子装置によって認証されたものであるか否かを判別する認証判別手段と、外部記録媒体が認証されたものでないと判別されたとき、外部記録媒体の使用を制限する使用制限手段とを有し、使用制限手段は、外部記録媒体に記録されたデータの閲覧と電子装置から外部記録媒体へのデータの移動を許可するものである。
【００１１】
本発明に係る、着脱可能な外部記録媒体を備えた電子装置におけるデータ管理方法は、外部記録媒体が接続されたときに、外部記録媒体が当該電子装置によって認証されたものであるか否かを判別するステップと、外部記録媒体が認証されたものでないとき、外部記録媒体のデータの閲覧、削除、および電子装置から外部記録媒体へのデータの移動を許可し、データのコピーを禁止するステップとを有するものである。
【発明の効果】
【００１２】
本発明によれば、認証を受けていない外部記録媒体であっても、データの閲覧、削除および電子装置からのデータの移動などの使用を認める一方で、著作権法保護の上で問題となるようなデータのコピー等の使用を禁止し、これにより、ユーザが複数の電子装置等を所有する場合における外部記録媒体の使用の利便性を改善することができる。
【発明を実施するための最良の形態】
【００１３】
本発明に係る着脱可能な外部記録媒体を備えた電子装置は、好ましくは、パーソナルコンピュータにおいて実施され、外部記録媒体としてハードディスクが用いられる。以下、図面を参照して詳細な実施例を説明する。
【実施例】
【００１４】
図１は、本発明の実施例に係る電子装置の構成を示すブロック図である。パーソナルコンピュータ（ＰＣ）１は、着脱可能なハードディスク（ＨＤ）１０、ユーザからの命令等を入力する入力部１２、パーソナルコンピュータの種々の動作を制御するためのプログラムを格納するプログラムメモリ１４、音楽データや映像データ等の種々のデータを記憶する大容量メモリ１６、ディスプレイ１８、プログラムメモリ１４のプログラムに従い各部の動作を制御するＣＰＵ２０、各部を接続するバス２２とを含んで構成される。
【００１５】
プログラムメモリ１４は、ハードディスク１０を認証するための認証判別プログラム３０や、ハードディスクを認証することができないとき当該ハードディスクの使用に一定の制限を課す使用制限プログラム３２等を記憶している。認証判別プログラム３０および使用制限プログラム３２は、必ずしもソフトウエアに限らず、ハードウエアによって実現してもよい。
【００１６】
ＰＣ１は、ハードディスク１０が接続されたとき、ハードディスク１０の認証を行う。認証を受けたハードディスク１０は、ＰＣ１との間でデータの編集等に自由に行うことができる。しかしながら、ハードディスク１０を不特定多数のパーソナルコンピュータに対して何ら制限なくその使用を認めると、ハードディスク１０を媒介にして音楽ファイルや映像ファイルが無断でコピーされ、著作権保護の観点から望ましくない事態が生じ得る。一方、認証することができないハードディスク１０対してその使用を一切禁止することは、ユーザにとって非常に不都合な場合がある。そこで、本実施例に係るＰＣ１は、認証することができないハードディスクに対し、著作権法上問題とならない範囲での使用を認めることとしている。
【００１７】
本実施例に係るＰＣ１の認証動作およびハードディスクの使用制限について、図２のフローチャートを参照して説明する。ハードディスク１０が、ＵＳＢ等のインターフェースを介してＰＣ１に接続されると（ステップＳ１０１）、ＰＣ１においてハードディスク１０の接続が検知される。すると、プログラムメモリ１４の認証判別プログラム３０が起動され、ＣＰＵ２０によってハードディスク１０の識別が行われる（ステップＳ１０２）。ハードディスク１０の識別は、例えばハードディスクに固有のデータであるシリアル番号を読取ることによって行われる。
【００１８】
さらにＣＰＵ２０は、ハードディスク１０に記憶されてＨＤ認証データを読み出す（ステップＳ１０３）。ＨＤ認証データは、ハードディスク１０を認証したＰＣを識別するためのものであって、当該ＰＣに固有のコードである。例えば、ＰＣのシリアル番号を用いることができる。次に、ＣＰＵ２０は、大容量メモリ１６に記憶されているＰＣ認証データを読み出す（ステップＳ１０４）。ＰＣ認証データは、ＰＣが認証を与えたハードディスクに固有のデータ、例えば、ハードディスクのシリアル番号である。ＨＤ認証データおよびＰＣ認証データは、ハードディスクがＰＣによって始めて認証されたときに作成され、ハードディスク１０および大容量メモリ１６に保存される。
【００１９】
ＣＰＵ２０は、ＨＤ認証用データに含まるＰＣのシリアル番号が、自身のＰＣ１のシリアル番号に一致するか否かを判定し、かつ、ＰＣ認証データに含まれるＨＤのシリアル番号が、識別したハードディスク１０のシリアル番号に一致するか否かを判定する（ステップＳ１０５）。
【００２０】
ＣＰＵ２０は、これらの認証データがすべて一致したとき、ハードディスク１０を認証し、ハードディスク１０を外部記録媒体として自由に使用することを許可する（ステップＳ１０６）。
【００２１】
ＰＣ１によってハードディスク１０への認証が行われると、図３(ａ)に示すように、ＰＣ１とハードディスク１０間において、データ（図では音楽ファイルとして表示）のコピーや移動などを何ら制限なく自由に行うことができる。さらに、ハードディスク１０の内容を、ＰＣ１の大容量メモリ１６の内容と同一となるように自動更新を行うことも可能である。
【００２２】
一方、認証データが一致しないとき、ハードディスク１０は認証外の外部記録媒体として取り扱われる（ステップＳ１０７）。この場合、使用制限プログラム３２が起動され、ＣＰＵ２０によってハードディスク１０の使用に一定の制限が課される。どの程度の使用を認めるかの一つの判断基準は、上記したように著作権侵害を誘発させない範囲の使用である。
【００２３】
本実施例では、ハードディスク１０を認証することができないとき、図３（ｂ）に示すように、ＰＣ１とハードディスク１０間のデータのコピーが禁止され、かつ、ハードディスク１０からＰＣ１へのデータの移動が禁止される。但し、ＰＣ１からハードディスク１０へのデータの移動は許可される。これは、ＰＣ１からデータを移動することで、ＰＣ１内にはデータが残らないため、無断複製には至らないからである。
【００２４】
こうした使用を制限するために、例えばＣＰＵ２０は、入力部１２から入力されるユーザの指示を監視し、その指示が図３（ｂ）に示すようなコピーや移動に該当する場合には、その指示または入力を拒否するようにする。
【００２５】
図３（ｂ）に示す以外にも、ＣＰＵ２０は、ハードディスク１０の閲覧およびハードディスク１０のデータの削除を許可するようにしてもよい。閲覧やデータの削除は、データの無断複製には実質的に関与しないためである。
【００２６】
さらに、ハードディスク１０に複数の音楽ファイルについてのプレイリストが記憶されているような場合、ＣＰＵ２０は、プレイリストの編集を許可するようにしてもよい。この編集は、直接、音楽ファイルを編集するものではなく、音楽ファイルの無断複製や改ざんには至らないからである。
【００２７】
本実施例における認証外のハードディスクに対して許される使用例をまとめると図４のようになる。このように本実施例によれば、ハードディスクが認証されない場合であっても、著作権に抵触しない範囲においてハードディスクの使用を可能とすることで、ユーザにとっての不都合、不便さを解消することができる。特に、ユーザがＰＣを買い替えたり、複数のＰＣを所有している場合に、認証外のＰＣにおいてハードディスクの内容を閲覧等することができ、利便性が向上される。
【００２８】
次に、着脱可能なハードディスク１０を備えたＰＣ１の好適な使用例を図５に示す。ここでは前提として、ＰＣ１は１台のハードディスクのみ認証を行うことができるものとする。図５に示すように、ハードディスク１０がＰＣ１によって認証された場合、ＰＣ１に記憶されている音楽ファイルや映像ファイルをハードディスク１０にコピーすることができる。ユーザは、このハードディスク１０をオーディオプレイヤ４０に接続することで、ハードディスク１０に記憶されている音楽ファイル等をオーディオプレイヤ４０において再生することができる。
【００２９】
一方、ユーザは、他のＰＣ２にハードディスク１０を接続した場合、ＰＣ２によって認証を受けることができないが、ハードディスク１０の閲覧、削除、およびＰＣ２からのデータの移動を行うことができる。このため、従来の認証方式と比較して、ユーザにとっての利便性を改善することができる。
【００３０】
なお、オーディオプレイヤは、車載に搭載されたカーオーディオ機器や、家庭に固定されたオーディオ機器等であってもよい。また、ＰＣ１によって認証することができるハードディスクは必ずしも１台に限るものではない。
【００３１】
以上、本発明の好ましい実施の形態について詳述したが、本発明は係る特定の実施形態に限定されるものではなく、特許請求の範囲に記載された本発明の要旨の範囲内において、種々の変形・変更が可能である。
【００３２】
上記実施例では、着脱可能な記録媒体としてハードディスクを例に用いたが、これ以外にも、書き換え可能な記録媒体であれば半導体メモリや磁気記録媒体等にも適用することができる。さらに上記実施例では、電子装置としてパーソナルコンピュータ（ＰＣ）を例に用いたが、これに限定されるものではなく、外部記録媒体を使用可能な電気機器であればよい。例えば、オーディオシステム、家電システム、ナビゲーションシステムであってもよい。また、本明細書で用いる装置は、限定的に解釈されるものではなく、複数の装置が接続されたシステム等を含む広い概念である。
【産業上の利用可能性】
【００３３】
本発明に係る電子装置および電子装置におけるデータ管理方法は、ハードディスク等の記録装置を着脱可能なパーソナルコンピュータ、オーディオシステム、ビデオシステム、ナビゲーションシステム、家電システム等において利用することができる。
【図面の簡単な説明】
【００３４】
【図１】本発明の実施例に係るパーソナルコンピュータの構成を示すブロック図である。
【図２】本実施例におけるハードディスクの認証動作を説明するフローチャートである。
【図３】ハードディスクを認証したとき、認証していないときの使用例を説明する図である。
【図４】認証していないハードディスクに対して認められる使用例を示す図である。
【図５】本実施例に係る着脱可能なハードディスクを備えたＰＣの適用例を示す図である。
【図６】従来のハードディスクの認証方式を説明する図である。
【図７】従来の認証外のハードディスクの使用制限を説明する図である。
【符号の説明】
【００３５】
１：ＰＣ                              １０：ハードディスク
１２：入力部                          １４：プログラムメモリ
１６：大容量メモリ                    １８：ディスプレイ
２０：ＣＰＵ                          ２２：バス
３０：認証判別プログラム              ３２：使用制限プログラム
４０：オーディオプレイヤ
【図１】
2005259303.tif 000003
【図２】
2005259303.tif 000004
【図３】
2005259303.tif 000005
【図４】
2005259303.tif 000006
【図５】
2005259303.tif 000007
【図６】
2005259303.tif 000008
【図７】
2005259303.tif 000009